(57)【要約】      （修正有）【課題】厚紙と透明合成樹脂シートとからなり、簡単に組み立てて手軽に使用することができるフェイスシールドを提供する。【解決手段】ヘッドバンド２と、これに取り付けて目や顔を保護する透明のシールド１０とから構成されるフェイスシールド１であって、ヘッドバンドは、左右先端部にそれぞれ複数の固定用切込３を有し、固定用切込同士を噛み合わせることにより、円筒状にして頭に被れるようになると共に、固定用切込の選択によって、頭に合わせてのサイズ調節が可能であり、左右側面部には、シールドの取付孔１１に挿入してシールドを取り付けるためのシールド取付け用フック４を有し、ヘッドバンドには、下に凸の円弧状のバイザー（庇）５が設けられ、バイザー全体を上に折り返すためのバイザー折返し罫線と、バイザーの左右付け根から、バイザー上端部を通る円弧状のバイザー折罫線６とを有する。【選択図】図１
0003227501.tif 000002
【実用新案登録請求の範囲】
【請求項１】
頭から被る厚紙製のヘッドバンドと、これに取り付けて目や顔を保護する透明のシールドとから構成されるフェイスシールドであって、
ヘッドバンドは、左右の先端部の、互いに上下逆側にそれぞれ複数の固定用切込を有し、この固定用切込同士を噛み合わせることにより、円筒状にすることができ、頭に被れるようになると共に、固定用切込の選択によって、頭に合わせてのサイズ調節が可能であり、
ヘッドバンドの左右側面部には、シールドの取付孔に挿入してシールドを取り付けるためのシールド取付け用フックを有し、
ヘッドバンド中央部の顔の幅に相当する部分には、下方向に凸の円弧状のバイザー（庇）が設けられており、バイザー全体を上に折り返すためのバイザー折返し罫線と、バイザーの左右付け根から、バイザー上端部を通る円弧状のバイザー折罫線とを有することを特徴とするフェイスシールド。
【請求項２】
ヘッドバンドを略３分する位置に、折り畳み用罫線を有することを特徴とする請求項１に記載のフェイスシールド。
【請求項３】
ヘッドバンドの表面に、印刷が施されていることを特徴とする請求項１または２に記載のフェイスシールド。
【請求項４】
シールドが、透明延伸ポリプロピレン樹脂シートまたは、透明ポリエチレンテレフタレート樹脂シートであることを特徴とする請求項１〜３のいずれか１項に記載のフェイスシールド。
【考案の詳細な説明】
【技術分野】
【０００１】
本考案は、目や顔を保護するために、顔に取り付けて使用する簡易型フェイスシールドに関する。
【背景技術】
【０００２】
さまざまなものから目や顔を保護するためのフェイスガードあるいはフェイスシールドと呼ばれる保護具が知られている。特許文献１に記載されたフェイスシールドは、オートバイ等に乗用する際にヘルメットに装着して風防として使用する本格的なフェイスシールドである。
【０００３】
特許文献１に記載されたフェイスシールドは、長期間の使用に耐えるために丈夫な材料で作られており、従って高価であり重量的にもそれなりの重さを有する。
【０００４】
近年、感染症予防対策の一環として、目や口からの感染を防止するための、より簡便なフェイスシールドに対する要望が高まっている。
【先行技術文献】
【特許文献】
【０００５】
【特許文献１】特開２０１９−８５６６９号公報
【考案の概要】
【考案が解決しようとする課題】
【０００６】
本考案の解決しようとする課題は、厚紙と透明合成樹脂シートとからなり、簡単に組み立てて手軽に使用することができるフェイスシールドを提案するものである。
【課題を解決するための手段】
【０００７】
上記の課題を解決するための手段として、請求項１に記載の考案は、頭から被る厚紙製のヘッドバンドと、これに取り付けて目や顔を保護する透明のシールドとから構成されるフェイスシールドであって、ヘッドバンドは、左右の先端部の、互いに上下逆側にそれぞれ複数の固定用切込を有し、この固定用切込同士を噛み合わせることにより、円筒状にすることができ、頭に被れるようになると共に、固定用切込の選択によって、頭に合わせてのサイズ調節が可能であり、ヘッドバンドの左右側面部には、シールドの取付孔に挿入してシールドを取り付けるためのシールド取付け用フックを有し、ヘッドバンド中央部の顔の幅に相当する部分には、下方向に凸の円弧状のバイザー（庇）が設けられており、バイザー全体を上に折り返すためのバイザー折返し罫線と、バイザーの左右付け根から、バイザー上端部を通る円弧状のバイザー折罫線とを有することを特徴とするフェイスシールドである。
【０００８】
また、請求項２に記載の考案は、ヘッドバンドを略３分する位置に、折り畳み用罫線を有することを特徴とする請求項１に記載のフェイスシールドである。
【０００９】
また、請求項３に記載の考案は、ヘッドバンドの表面に、印刷が施されていることを特徴とする請求項１または２に記載のフェイスシールドである。
【００１０】
また、請求項４に記載の考案は、シールドが、透明延伸ポリプロピレン樹脂シートまたは、透明ポリエチレンテレフタレート樹脂シートであることを特徴とする請求項１〜３のいずれか１項に記載のフェイスシールドである。
【考案の効果】
【００１１】
本考案に係るフェイスシールドは、１枚の厚紙製のヘッドバンドと１枚の透明プラスチックシートとからなる簡単な構成であるため、安価にまた迅速に提供できる。
【００１２】
フェイスシールドの組み立ては、ヘッドバンドのバイザー部分をバイザー折返し罫線に沿って上に折り返した後に、バイザー折罫線に沿って下方向に折り、シールドに設けた取付孔に、ヘッドバンドのシールド取付け用フックを挿入するだけの簡単な操作で組み立てることができる。
【００１３】
ヘッドバンドの左右先端部には、互いに上下逆側にそれぞれ複数の固定用切込を有するので、この固定用切込同士を噛み合わせることにより、円筒状にすることができ、頭に被れるようになると共に、固定用切込の選択によって、頭に合わせてのサイズ調節が可能である。
【００１４】
ヘッドバンドに、円弧状のバイザー（庇）を設けたことにより、シールドがこの円弧に沿って曲がるために、シールドの形状保持がなされ、シールドの剛性が確保されると共に、顔からシールドまでに一定の距離が生じるため、装着時の鬱陶しさが軽減される効果がある。
【００１５】
本考案に係るフェイスシールドは、組み立てに当たって接着剤等を使用していないため、廃棄する際に紙とプラスチックに分別することが簡単にできる。
【図面の簡単な説明】
【００１６】
【図１】図１は、本考案に係るフェイスシールドを顔に装着した状態を模式的に示した説明図である。
【図２】図２は、ヘッドバンドのブランクを示した平面模式図である。
【図３】図３は、シールドの平面模式図である。
【考案を実施するための形態】
【００１７】
以下図面を参照しながら、本考案に係るフェイスシールドについて詳細に説明する。図１は、本考案に係るフェイスシールド１を顔に装着した状態を模式的に示した説明図である。図２は、フェイスシールドを構成するヘッドバンドのブランクを示した平面模式図である。図３は、シールドの平面模式図である。
【００１８】
本考案に係るフェイスシールド１は、頭から被る厚紙製のヘッドバンド２と、これに取り付けて目や顔を保護する透明のシールド１０とから構成される。本考案に係るフェイスシールド１は、このようにわずか２点の部品のみから構成されるため、安価にかつ迅速に製造することができる。
【００１９】
ヘッドバンド２には、左右の先端部の、互いに上下逆側にそれぞれ複数の（この例ではそれぞれ４個の）固定用切込３を有する。この固定用切込３同士を噛み合わせることにより、円筒状に組み立てることができ、頭に被れるようになると共に、固定用切込３の選択によって、頭の大きさに合わせてのサイズ調節が可能である。
【００２０】
ヘッドバンド２の左右側面部には、シールド１０の取付孔１１に挿入してシールド１０をヘッドバンド２に取付けるためのシールド取付け用フック４が設けられている。この例では、シールド取付け用フック４は、切抜線によって切り抜かれ、付根部分より先端が太くなっており、その太くなっている部分は、折罫線を折ることで、シールド１０の取付孔１１に挿入し易くなっている。また挿入後は、折罫線が戻ることにより、取付孔１１から抜け難くなっている。
【００２１】
ヘッドバンド２の中央部の顔の幅に相当する部分には、下方向に凸の円弧状のバイザー（庇）５が設けられており、バイザー５の基部を通る直線状のバイザー折返し罫線８に沿って上方向に折り返すことができる。また、バイザー５の左右付け根から、バイザー上端部を通る円弧状のバイザー折罫線６が設けられている。バイザー折罫線６の曲率半径は、バイザー５の曲率半径より大であるため、バイザー折罫線６に沿ってバイザー５を下方向に折ることにより、バイザー５は下方向に一定の角度に固定し、ヘッドバンド２自体の剛性を高める働きをする。
【００２２】
また、このバイザー５の働きにより、ヘッドバンド２に取り付けられたシールド１０がバイザー５の先端に沿うように曲がることで、シールド１０の剛性も高まる効果がある。
【００２３】
ヘッドバンド２は、厚紙を打ち抜いて作ることができる。厚紙としては、坪量２６０ｇ／ｍ２程度の耐水紙が好ましい。またヘッドバンド２の表面には、任意の印刷を施すことができる。これによりフェイスシールドの意匠性を高めたり、あるいは、景品としての性格を付与することもできる。
【００２４】
ヘッドバンド２には、図２に示したように、略３分する位置に折り畳み用罫線７を設けることにより、この位置で折り畳んでコンパクトに収納できるようにすることができる。
【００２５】
シールド１０としては、透明性の高いプラスチックシートを使用する。具体的には、厚さ５０μｍ程度の延伸ポリプロピレン（ＯＰＰ）樹脂シートや、厚さ１００μｍ程度のポリエチレンテレフタレート（ＰＥＴ）樹脂シートは好ましく使用できる。
【符号の説明】
【００２６】
１・・・フェイスシールド
２・・・ヘッドバンド
３・・・固定用切込
４・・・シールド取付け用フック
５・・・バイザー
６・・・バイザー折罫線
７・・・バイザー折返し罫線
８・・・折り畳み用罫線
１０・・・シールド
１１・・・取付孔
【図１】
0003227501.tif 000003
【図２】
0003227501.tif 000004
【図３】
0003227501.tif 000005